(57)【要約】      （修正有）【課題】種々の配線数による配線を固定可能な配線の固定具を提供する。【解決手段】先端の対向する部位が内側に延出してなる凹溝１１Ｂに保持される固定具１３であって、可撓性を有する樹脂で作成され、本体部１３Ｂと、本体部１３Ｂより突出して凹溝１１Ｂに挿入される固定部１３Ａとが設けられる。固定部１３Ａは、凹溝１１Ｂに挿入されて固定された際に、凹溝１１Ｂの底面に先端が当接し、底面とは逆側の部位がそれぞれ庇状に延出して、凹溝の延出した部位の内側に庇状に延出した部位１４Ａ、１４Ｂが当接する断面三角形形状の突部１４を備える。本体部１３Ｂは、凹溝１１Ｂに固定部１３Ａが固定された際に、凹溝１１Ｂの先端の対向する部位の間を通って、凹溝１１Ｂから遠ざかるように延長する柱状の部位であって、柱状の部位に結束具を挿入する結束具用の貫通穴１６を備える。【選択図】図４
0003185252.tif 000002
【実用新案登録請求の範囲】
【請求項１】
先端の対向する部位が内側に延出してなる凹溝に保持される固定具であって、
可撓性を有する樹脂により作成され、本体部と、前記本体部より突出して前記凹溝に挿入される固定部とが設けられ、
前記固定部は、
前記凹溝に挿入されて固定された際に、前記凹溝の底面に先端が当接し、前記底面とは逆側の部位がそれぞれ庇状に延出して、前記凹溝の延出した部位の内側に前記庇状に延出した部位が当接する断面三角形形状の突部を備え、
前記本体部は、
前記凹溝に前記固定部が固定された際に、前記凹溝の先端の対向する部位の間を通って、凹溝から遠ざかるように延長する柱状の部位であって、前記柱状の部位に結束具を挿入する結束具用の貫通穴を備える
結束具。
【請求項２】
前記固定部には、肉抜きの貫通穴を備える
請求項１に記載の結束具。
【考案の詳細な説明】
【技術分野】
【０００１】
本考案は、固定具に関し、例えばソーラーパネルシステムにおいてケーブルを架台等の構造物に固定する場合に適用することができる。
【背景技術】
【０００２】
従来、ソーラーパネルシステムは、図５（Ａ）に示すように、アルミニウム材等を使用して中空による断面矩形形状の柱形状によりフレーム１が作製され、このフレーム１により所望の方向に向けてソーラーパネルを配置する。このためフレーム１は、上面に、ソーラーパネルを載置して保持するための断面Ｔ字形状による突条１Ａが設けられる。またフレーム１は、配線固定用の固定具を保持するために、先端が内側に突出してなるガイドレール１Ｂが両側方に設けられる。ソーラーパネルシステムでは、このガイドレール１Ｂを使用して、フレーム１の長手方向に固定具の位置を種々に設定して、所望の位置にてソーラーパネルの配線を固定できるように構成される。
【０００３】
ここでこの種の固定具２は、矢印Ａにより示すように（図５（Ａ））、ガイドレール１Ｂに根本部分を挿入した後、矢印Ｂにより示すように（図５（Ｂ））、全体を９０度回転させることにより、ガイドレール１Ｂに脱落しないように保持される。その後、矢印Ｃにより示すように、先端側に設けられた保持部に配線３を挿入して保持する。
【０００４】
このような配線の固定具に関して、特許文献１等に種々の工夫が提案されている。
【先行技術文献】
【特許文献】
【０００５】
【特許文献１】特開２０１１−８５１６４号公報
【考案の概要】
【考案が解決しようとする課題】
【０００６】
ところでソーラーパネルシステムにおいては、システムの構成により配線数が種々に変化し、大型のメガソーラー発電所では固定具２では収容しきれない配線本数になる場合がある。このような配線本数の変化に柔軟に対応して、種々の配線数による配線を固定することができれば、一段とこの種の固定具の使い勝手を向上できると考えられる。
【０００７】
本考案は、以上の点を考慮してなされたものであり、種々の配線数による配線を固定することができる配線の固定具を提案することを目的とする。
【課題を解決するための手段】
【０００８】
本考案者らは、結束バンド等の結束具を介して配線を保持するとの着想を見出し、本考案を完成するに至った。
【０００９】
（１）  先端の対向する部位が内側に延出してなる凹溝に保持される固定具であって、
可撓性を有する樹脂により作成され、本体部と、前記本体部より突出して前記凹溝に挿入される固定部とが設けられ、
前記固定部は、
前記凹溝に挿入されて固定された際に、前記凹溝の底面に先端が当接し、前記底面とは逆側の部位がそれぞれ庇状に延出して、前記凹溝の延出した部位の内側に前記庇状に延出した部位が当接する断面三角形形状の突部を備え、
前記本体部は、
前記凹溝に前記固定部が固定された際に、前記凹溝の先端の対向する部位の間を通って、凹溝から遠ざかるように延長する柱状の部位であって、前記柱状の部位に結束具を挿入する結束具用の貫通穴を備える。
【００１０】
（１）によれば、固定部により凹溝に固定して、本体部の結束用の貫通穴に結束具を挿入して配線を固定することができる。従って固定に供する配線数が種々に異なる場合であっても、配線を固定することができる。
【００１１】
（２）（１）において、
前記固定部には、肉抜きの貫通穴を備える。
【００１２】
（２）によれば、肉抜きの貫通穴により固定部を大きく変形させることができ、これにより取り付け作業を簡略化することができる。
【考案の効果】
【００１３】
本考案によれば、種々の配線数による配線を固定することができる。
【図面の簡単な説明】
【００１４】
【図１】本考案に係るフレームを示す図である。
【図２】本考案に係る固定具を示す図である。
【図３】図２の固定具をガイドレールに固定した状態を示す図である。
【図４】配線を固定した状態を示す図である。
【図５】従来の固定具を示す図である。
【考案を実施するための形態】
【００１５】
以下、本考案の実施形態について図面を参照しながら説明する。
【００１６】
図１は、この実施形態に係るソーラーパネルシステムに適用されるフレーム１１について、ガイドレール１１Ｂの部分を部分的に拡大して示す断面図である。ソーラーパネルシステムは、このフレーム１１より架台が作成され、この架台にソーラーパネルが配置される。またこのフレーム１１に配置された固定具によりソーラーパネルからの配線が架台に固定される。
【００１７】
ここでフレーム１１は、アルミニウム材の押し出し成型等により中空による断面矩形形状の柱形状により作成される。また図５について上述したと同様の突条が上面に設けられ、この突条によりソーラーパネルを保持する。またさらに下側、両側方に、ガイドレール１１Ｂが設けられ、このガイドレール１１Ｂにより固定具を固定する。
【００１８】
ここでガイドレール１１Ｂは、この断面図において、対向する上下の部位が部分的に立ち上がって、その先端が内側に延出する凹溝であり、底面には、部分的に斜めに傾いた斜面が設けられる、また内側に延出する部位のうち、上側の部位１１ＢＵにあっては、下側の部位１１ＢＤに比して、延出する長さが長く設定され、さらにその先端が底面側に折れ曲がるように形成される。これによりガイドレール１１Ｂは、この凹溝に挿入された固定具の先端を、内側に延出する部位１１ＢＵ、１１ＢＤにより脱落しないように保持する。またこの挿入の際の作業を簡略化できるように構成される。
【００１９】
図２は、このガイドレール１１Ｂに使用される固定具を示す斜視図であり、図３は、この固定具１３をガイドレール１１Ｂに固定した状態を示す断面図である。固定具１３は、６６ナイロン、１１ナイロン、ポリ塩化ビフェニール等の可撓性を有する樹脂を射出成型して作成され、ガイドレール１１Ｂに固定した際のガイドレール１１Ｂの延長方向については、同一の断面形状により形成される。固定具１３は、ガイドレール１１Ｂに挿入されてガイドレール１１Ｂへの固定に供する固定部１３Ａが設けられ、さらに配線の固定に供する本体部１３Ｂが設けられる。
【００２０】
ここで固定部１３Ａは、ガイドレール１１Ｂの凹溝に挿入される断面三角形形状による突部１４が設けられる。ここでこの突部１４は、ガイドレール１１Ｂに挿入されて固定された際に、ガイドレール１１Ｂの底面に先端が当接するように形成される。また突部は、この底面とは逆側の部位がそれぞれ庇状に延出して、この庇状に延出した部位（以下、庇部と呼ぶ）１４Ａ、１４Ｂが、ガイドレール１１Ｂの延出した部位の内側に当接するように形成される。これにより固定具１３は、この庇部１４Ａ及び１４Ｂによりガイドレール１１Ｂから脱落しないように保持され、さらに先端の部位をガイドレール１１Ｂの底面に押圧してガイドレール１１Ｂに安定に保持される。
【００２１】
さらに固定部１３Ａは、この断面三角形形状による突部を縮小した形状である、断面三角形形状による貫通穴１５が設けられ、この貫通穴１５により肉抜きして樹脂の使用量を低減すると共に、取り付け作業を簡略化する。
【００２２】
しかしてこの実施形態では、固定具１３は、図５について上述したと同様に、９０度回転させた状態で、ガイドレール１１Ｂに固定部１３Ａを挿入した後、９０度回転させることにより、ガイドレール１１Ｂに固定される。固定に係る一連の作業において、固定具１３は、肉抜きの貫通穴１５が設けられていることにより、固定部１３Ａを容易に変形させることができ、これにより簡易な操作により固定具１３を固定することができる。なおこれに代えて、単にガイドレール１１Ｂに押し込むようにしても良く、さらには長さの長い側の庇部１４Ａをガイドレール１１Ｂに挿入して、長さの短い側の庇部１４Ｂを押し込むようにしてもよい。なおこのように単にガイドレール１１Ｂに押し込むようにして取り付ける場合、図２に示す例に比して貫通１５を一段と大きな断面積より作成して、一段と容易に固定部１３Ａが変形できるようにすることが望ましい。
【００２３】
これに対して本体部１３Ｂは、ガイドレール１１Ｂに固定部１３Ａが固定された際に、ガイドレール１１Ｂの先端の対向する部位の間を通って延長する柱状により形成され、この柱状の部位に結束具を挿入する結束具用の貫通穴１６が設けられる。ここでこの貫通穴１６は、図３において上下方向に延長するように作成される。
【００２４】
これにより図４に示すように、結束具用の貫通穴１６に結束バンド１８等による結束具を挿通して種々の配線数による配線３、種々の太さによる配線３を柔軟に固定することができる。なおこの貫通穴１６にあっては、使用が予測される結束バンド１８の太さに応じた径により作成されることは言うまでも無い。
【００２５】
〔他の実施形態〕
以上、本考案の実施に好適な具体的な構成を詳述したが、本考案は、本考案の趣旨を逸脱しない範囲で、上述の実施形態の構成を種々に変更することができる。
【００２６】
すなわち上述の実施形態では、結束具用の貫通穴を断面矩形形状により作成する場合について述べたが、本考案はこれに限らず、丸穴等により作成するようにしても良い。
【００２７】
また上述の実施形態では、結束具用の貫通穴の向きが上下方向となる作成する場合について述べたが、本考案はこれに限らず、これと直交する方向となるように作成してもよく、さらには交差する２つの貫通穴としてもよい。
【００２８】
また上述の実施形態では、結束バンドによる結束具を使用する場合について述べたが、本考案はこれに限らず、金属線材を樹脂によりコーティングした結束線、鈍し鉄線による結束線等、種々の材料による結束具を使用する場合に広く適用することができる。
【００２９】
また上述の実施形態では、ソーラーパネルシステムにおいて、配線を固定する場合について述べたが、本考案はこれに限らず、種々のシステム、構造物等において、配線等を固定する場合に広く適用することができる。
【符号の説明】
【００３０】
１、１１  フレーム
１Ａ  突条
１Ｂ、１１Ｂ  ガイドレール
２、１３  固定具
３  配線
１３Ａ  固定部
１３Ｂ  本体部
１４Ａ、１４Ｂ  庇部
１５、１６  貫通穴
１８  結束バンド
【図１】
0003185252.tif 000003
【図２】
0003185252.tif 000004
【図３】
0003185252.tif 000005
【図４】
0003185252.tif 000006
【図５】
0003185252.tif 000007